Podtech/llm-jp-corpus-v4-ja_patent huggingface dataset:
【手続補正書】
【提出日】平成25年12月9日(2013.12.9)
【手続補正１】
【補正対象書類名】特許請求の範囲
【補正対象項目名】全文
【補正方法】変更
【補正の内容】
【特許請求の範囲】
【請求項１】
下記のうちの少なくとも１つを有する、ペルフェナジン４−アミノブチラートトリメシラートの結晶性形態物：
（ａ）約４．７，５．４，６．４，７．８，１２．８，１４．０，１５．３，１５．７，１６．０，１６．１，１６．９，１７．７，１８．０，１９．７，２０．０，２０．６，２１．０および２１．２の２Θ値（度の単位で）からなる群から選択されるピークの少なくとも５つを示すＸ線粉末回折（ＸＲＰＤ）パターン；および
（ｂ）吸熱ピークを約２０９℃〜約２１４℃において示す示差走査熱量測定法（ＤＳＣ）。
【請求項２】
約４．７，５．４，６．４，７．８，１２．８，１４．０，１５．３，１５．７，１６．０，１６．１，１６．９，１７．７，１８．０，１９．７，２０．０，２０．６，２１．０および２１．２の２Θ値（度の単位で）からなる群から選択されるピークの少なくとも６つを示すＸ線粉末回折（ＸＲＰＤ）パターンを有する、請求項１に記載のペルフェナジン４−アミノブチラートトリメシラートの結晶性形態物。
【請求項３】
約４．７，５．４，６．４，７．８，１２．８，１４．０，１５．３，１５．７，１６．０，１６．１，１６．９，１７．７，１８．０，１９．７，２０．０，２０．６，２１．０および２１．２の２Θ値（度の単位で）からなる群から選択されるピークの少なくとも７つを示すＸ線粉末回折（ＸＲＰＤ）パターンを有する、請求項１に記載のペルフェナジン４−アミノブチラートトリメシラートの結晶性形態物。
【請求項４】
約４．７，５．４，６．４，７．８，１２．８，１４．０，１５．３，１５．７，１６．０，１６．１，１６．９，１７．７，１８．０，１９．７，２０．０，２０．６，２１．０および２１．２の２Θ値（度の単位で）からなるピークを示すＸ線粉末回折（ＸＲＰＤ）パターンを有する、請求項１に記載のペルフェナジン４−アミノブチラートトリメシラートの結晶性形態物。
【請求項５】
約４．７，５．４，６．４，７．８，１２．８，１４．０，１５．３，１５．７，１６．０，１６．１，１６．９，１７．７，１８．０，１９．７，２０．０，２０．６，２１．０および２１．２の２Θ値（度の単位で）の群から選択されるピークの少なくとも５つを示すＸ線粉末回折（ＸＲＰＤ）パターンを有する、ペルフェナジン４−アミノブチラートトリメシラートの結晶性形態物。
【請求項６】
約４．７，５．４，６．４，７．８，１２．８，１４．０，１５．３，１５．７，１６．０，１６．１，１６．９，１７．７，１８．０，１９．７，２０．０，２０．６，２１．０および２１．２の２Θ値（度の単位で）の群から選択されるピークの少なくとも６つを示すＸ線粉末回折（ＸＲＰＤ）パターンを有する、ペルフェナジン４−アミノブチラートトリメシラートの結晶性形態物。
【請求項７】
約４．７，５．４，６．４，７．８，１２．８，１４．０，１５．３，１５．７，１６．０，１６．１，１６．９，１７．７，１８．０，１９．７，２０．０，２０．６，２１．０および２１．２の２Θ値（度の単位で）の群から選択されるピークの少なくとも７つを示すＸ線粉末回折（ＸＲＰＤ）パターンを有する、ペルフェナジン４−アミノブチラートトリメシラートの結晶性形態物。
【請求項８】
約４．７，５．４，６．４，７．８，１２．８，１４．０，１５．３，１５．７，１６．０，１６．１，１６．９，１７．７，１８．０，１９．７，２０．０，２０．６，２１．０および２１．２の２Θ値（度の単位で）からなるピークを示すＸ線粉末回折（ＸＲＰＤ）パターンを有する、ペルフェナジン４−アミノブチラートトリメシラートの結晶性形態物。
【請求項９】
吸熱ピークを約２０９℃〜約２１４℃において示す示差走査熱量測定法（ＤＳＣ）により特徴づけられるペルフェナジン４−アミノブチラートトリメシラートの結晶性形態物。
【請求項１０】
Ｎ−保護されたペルフェナジン４−アミノブチラートと、メタンスルホン酸とを、溶媒としてアセトニトリルおよび酢酸ブチルの混合物の存在下で反応させることによって調製される、請求項１〜９のいずれかに記載のペルフェナジン４−アミノブチラートトリメシラートの結晶性形態物。
【請求項１１】
請求項１〜９のいずれかに記載の結晶性形態物を調製する方法であって、Ｎ−保護されたペルフェナジン４−アミノブチラートと、メタンスルホン酸とを、溶媒としてアセトニトリルおよび酢酸ブチルの混合物の存在下で反応させ、それにより、ペルフェナジン４−アミノブチラートトリメシラートの結晶性形態物を生じさせることを含む方法。
【請求項１２】
請求項１〜９のいずれかに記載のペルフェナジン４−アミノブチラートトリメシラートの結晶性形態物および医薬的に許容されるキャリアを含む医薬組成物。
【請求項１３】
包装材で包装され、かつ、統合失調症の処置における使用のために前記包装材の中または表面において印刷で特定される、請求項１２に記載の医薬組成物。
【請求項１４】
統合失調症の処置において使用されるためのものである、請求項１〜９のいずれかに記載のペルフェナジン４−アミノブチラートトリメシラートの結晶性形態物。
【手続補正書】
【提出日】平成26年2月24日(2014.2.24)
【手続補正１】
【補正対象書類名】特許請求の範囲
【補正対象項目名】全文
【補正方法】変更
【補正の内容】
【特許請求の範囲】
【請求項１】
プロトン源、湿潤剤、被膜形成剤、浸透促進剤、少なくとも1種の溶媒、並びに任意に、１以上の爪コンディショナー、防腐剤、UV抑制剤、顔料、染料、及び香料からなる群から選択される少なくとも1種の追加の成分を含む、爪真菌症治療組成物。
【請求項２】
前記プロトン源が、有機酸を含む、請求項1記載の爪真菌症治療組成物。
【請求項３】
前記プロトン源が、クエン酸又は酢酸を含む、請求項2記載の爪真菌症治療組成物。
【請求項４】
前記プロトン源が、前記組成物中に、前記組成物の重量に対して5から15%の量で存在する、請求項1から3のいずれか１項記載の爪真菌症治療組成物。
【請求項５】
前記真菌治療組成物のpHが、2から4の範囲内である、請求項1から4のいずれか１項記載の爪真菌症治療組成物。
【請求項６】
前記被膜形成剤が、非架橋ポリマーを含む、請求項1から5のいずれか１項記載の爪真菌症治療組成物。
【請求項７】
前記被膜形成剤が、ガムを含む、請求項1から6のいずれか１項記載の爪真菌症治療組成物。
【請求項８】
前記被膜形成剤が、キサンタンガムを含む、請求項1から7のいずれか１項記載の爪真菌症治療組成物。
【請求項９】
前記被膜形成剤が、前記真菌治療組成物の重量に対して0.1から1%の量で存在する、請求項1から8のいずれか１項記載の爪真菌症治療組成物。
【請求項１０】
前記浸透促進剤が、角質溶解剤を含む、請求項1から9のいずれか１項記載の爪真菌症治療組成物。
【請求項１１】
前記浸透促進剤が、尿素、チオグリコール酸、チオグリコール酸ナトリウム、又はチオグリコール酸カリウムを含む、請求項1から10のいずれか１項記載の爪真菌症治療組成物。
【請求項１２】
前記浸透促進剤が、前記真菌治療組成物中に、前記組成物の重量に対して1から5%の量で存在する、請求項1から11のいずれか１項記載の爪真菌症治療組成物。
【請求項１３】
爪板の古い最上層を壊死組織切除のプロセスによって除去した後の爪板の新たな最上層への適用による爪真菌感染症の治療における使用のための、請求項1から12のいずれか１項記載の組成物。
【請求項１４】
皮膚糸状菌による爪真菌感染症の治療における使用のための、請求項13記載の組成物。
【請求項１５】
トリコフィトン・ルブルム又はトリコフィトン・メンタグロフィテス種による爪真菌感染症の治療における使用のための、請求項13及び14のいずれか１項記載の組成物。
【請求項１６】
爪真菌感染症が1週間から3か月の期間内に消滅する、爪真菌感染症の治療における使用のための、請求項13から15のいずれか１項記載の組成物。
【請求項１７】
爪真菌感染症が2週間から6か月の期間内に消滅する、爪真菌感染症の治療における使用のための、請求項13から16のいずれか１項記載の組成物。
【請求項１８】
爪真菌感染症が約28日で消滅する、爪真菌感染症の治療における使用のための、請求項13から17のいずれか１項記載の組成物。
【請求項１９】
前記組成物が、1日1回から1週間に1回の頻度で適用される、爪真菌感染症の治療における使用のための、請求項13から18のいずれか１項記載の組成物。
【請求項２０】
爪真菌感染症の治療における使用のための、さらに、爪真菌症再感染の予防における使用のための、請求項13から19のいずれか１項記載の組成物。
【請求項２１】
請求項1から20のいずれか１項記載の爪真菌症治療組成物を含む、爪真菌症治療器具であって、使い捨て爪ヤスリを含む、前記器具。
【請求項２２】
前記使い捨て爪ヤスリが、爪真菌症治療器具内にバネで留められる、請求項21記載の爪真菌症治療器具。
【請求項２３】
バネで留められる前記爪ヤスリが、一方向性の投薬機構を備えた前記爪真菌症治療器具内に収納される、請求項22記載の爪真菌症治療器具。
【請求項２４】
前記容器が、前記器具の前記一方向性の投薬機構に取り付けられる、請求項23記載の爪真菌症治療器具。
【請求項２５】
前記器具内の使い捨て爪ヤスリの数が、2から7個の間である、請求項21から24のいずれか１項記載の爪真菌症治療器具。
【請求項２６】
前記使い捨て爪ヤスリが、炭化ケイ素でコーティングされる、請求項21から25のいずれか１項記載の爪真菌症治療器具。
【請求項２７】
請求項21から26のいずれか１項記載の爪真菌症治療器具と併用する、請求項1から19のいずれか１項記載の真菌症治療組成物の使用。
【請求項２８】
請求項1から19のいずれか１項記載の爪真菌症治療組成物と、請求項21から26のいずれか１項記載の爪真菌症治療器具とを含むキット。
【手続補正書】
【提出日】平成26年2月5日(2014.2.5)
【手続補正１】
【補正対象書類名】特許請求の範囲
【補正対象項目名】全文
【補正方法】変更
【補正の内容】
【特許請求の範囲】
【請求項１】
亜鉛エステル官能性ポリマーと、銅ピリチオンの粒子とを含む組成物であって、前記粒子が約８から約１５、好ましくは約９から約１２の範囲内の平均アスペクト比を有し、
前記亜鉛エステル官能性ポリマー及び前記銅ピリチオンの粒子が、酸官能性ポリマーと、亜鉛ピリチオン、並びに銅塩、カルボン酸銅、水酸化銅、元素の銅、及びこれらの組合せからなる群から選択される銅化合物とを反応させることによって得られる、前記組成物。
【請求項２】
前記亜鉛エステル官能性ポリマーがアクリル酸亜鉛ポリマーである、請求項１に記載の組成物。
【請求項３】
前記酸官能性ポリマーが酸官能性アクリレートコポリマーである、請求項１に記載の組成物。
【請求項４】
前記酸官能性アクリレートコポリマーが、１０，０００よりも低い、好ましくは２，０００から６，０００の間の数平均分子量を有する、請求項３に記載の組成物。
【請求項５】
前記酸官能性アクリレートコポリマーが、アクリル酸、メタクリル酸、及びこれらの組合せからなる群から選択される不飽和有機酸モノマーから誘導される、請求項３に記載の組成物。
【請求項６】
前記銅塩が、炭酸銅、硝酸銅、硫酸銅、塩化銅、及びこれらの組合せからなる群から選択される、請求項３に記載の組成物。
【請求項７】
前記銅化合物が水酸化銅である、請求項３に記載の組成物。
【請求項８】
酢酸、クロロ酢酸、プロピオン酸、オクチル酸、ベルサチン酸、エチルヘキサン酸、安息香酸、ナフテン酸、パルメチン酸、ステアリン酸、オレイン酸、脂肪酸、ロジン酸、及びこれらの組合せからなる群から選択される有機酸をさらに含む、請求項６又は請求項７に記載の組成物。
【請求項９】
前記有機酸が酢酸又はナフテン酸である、請求項８に記載の組成物。
【請求項１０】
前記カルボン酸銅が、酢酸銅、ナフテン酸銅、銅キノリノレート、ステアリン酸銅、安息香酸銅、エチルヘキサン酸銅、ロジン酸銅、及びこれらの組合せからなる群から選択される、請求項１に記載の組成物。
【請求項１１】
前記カルボン酸銅が酢酸銅又はナフテン酸銅である、請求項１０に記載の組成物。
【請求項１２】
銅ピリチオンの前記粒子が、約３から約５ミクロンのＤ５０を有する、請求項１に記載の組成物。
【請求項１３】
請求項１から１２までのいずれか一項に記載の組成物を含有する防汚コーティング組成物。
【請求項１４】
水溶性又は僅かに水溶性の樹脂をさらに含み、前記樹脂が、コーティング組成物の全重量に対して約４から約１５％の量で存在する、請求項１３に記載の防汚コーティング組成物。
【請求項１５】
樹脂が、ロジン、ポリビニルエーテル、キトサン、及びこれらの組合せからなる群から選択される、請求項１４に記載の防汚コーティング組成物。
【請求項１６】
銅金属、酸化銅、チオシアン酸銅、酸化亜鉛、ホウ酸亜鉛、メタホウ酸バリウム、トリフェニルホウ素ピリジン、トリフェニルホウ素オクチデシルアミン、トラロピリル、クロルフェナピル、トリフルアニド、ジクロフルアニド、亜鉛ピリチオン、４，５−ジクロロ−２−ｎ−オクチル−４−イソチアゾリン−３−オン、２−メチルチオ−４−ｔｅｒｔ−ブチルアミノ−６−シクロプロピルアミノ−ｓ−トリアジン、ジネブ、ジラム、ポリカルバメート、マネブ、クロロタロニル、及びこれらの組合せからなる群から選択される添加剤をさらに含む、請求項１３に記載の防汚コーティング組成物。
【手続補正書】
【提出日】平成26年1月31日(2014.1.31)
【手続補正１】
【補正対象書類名】特許請求の範囲
【補正対象項目名】全文
【補正方法】変更
【補正の内容】
【特許請求の範囲】
【請求項１】
式Ｉａ：
【化１】
2013520413.tif 000001
の化合物、又はその製薬学的に許容される塩。
【請求項２】
式ＩＸ：
【化２】
2013520413.tif 000002
の化合物を、塩基及び過酸化物と反応させ、次いで得られた混合物を酸性溶液と反応させ
ることを含んでなる、請求項１に記載の化合物の製造方法。
【請求項３】
式ＩＸの化合物が、式ＶＩＩＩ：
【化３】
2013520413.tif 000003
（式中、Ｘは、Ｃｌ、Ｂｒ、又はＩである）
の化合物を、金属、金属シアン化物、及び触媒と反応させることを含む方法によって製造される、請求項２に記載の方法。
【請求項４】
式ＶＩＩＩの化合物が、式ＶＩＩ：
【化４】
2013520413.tif 000004
の化合物を、第一の塩基及びトリＣ1-6アルキルホスホノアセタートの混合物と反応させ、次いで得られた混合物を第二の塩基と反応させることを含む方法によって製造される、請求項３に記載の方法。
【請求項５】
式ＶＩＩの化合物が、式ＶＩ：
【化５】
2013520413.tif 000005
（式中、ＬＧは、Ｃｌ、Ｂｒ、Ｉ、トシラート、ブロシラート、ノシラート、メシラート、又はトリフラートである）
の化合物を、塩基と反応させることを含む方法によって製造される、請求項４に記載の方法。
【請求項６】
式ＶＩの化合物が、式Ｖ：
【化６】
2013520413.tif 000006
の化合物を、還元剤及びキラルなオキサザボロリジンと反応させることを含む方法によって製造される、請求項５に記載の方法。
【請求項７】
式Ｉｂ：
【化７】
2013520413.tif 000007
の化合物、又はその製薬学的に許容される塩を製造する方法であって：
その方法が、式Ｉａ：
【化８】
2013520413.tif 000008
の化合物を、（１）活性化剤、及び（２）式ＩＶａ：
【化９】
2013520413.tif 000009
の化合物、又はその適切な塩と反応させることを含んでなる、上記方法。
【請求項８】
前記活性化剤が、１，１’−カルボニルジイミダゾールである、請求項７に記載の方法。
【請求項９】
式ＩＶａの化合物、又はその適切な塩が、式ＩＩＩａ：
【化１０】
2013520413.tif 000010
の化合物を酸と反応させることを含む方法によって製造される、請求項７に記載の方法。
【請求項１０】
式ＩＩＩａの化合物が、式ＩＩａ：
【化１１】
2013520413.tif 000011
の化合物を、シクロブタノン及び還元剤と反応させることを含む方法によって製造される、請求項９に記載の方法。
【請求項１１】
式Ｉｃ：
【化１２】
2013520413.tif 000012
の化合物、又はその製薬学的に許容される塩を製造する方法であって：
その方法が、式Ｉａ：
【化１３】
2013520413.tif 000013
の化合物を、（１）活性化剤及び式ＩＶｂ：
【化１４】
2013520413.tif 000014
の化合物、又はその適切な塩、及び（２）塩基と反応させることを含んでなる、上記方法。
【請求項１２】
活性化剤が、１−ヒドロキシベンゾトリアゾールと１−エチル−３−（３−ジメチルアミノプロピル）カルボジイミド塩酸塩の混合物である、請求項１１に記載の方法。
【請求項１３】
式ＩＶｂの化合物が、式ＩＩＩｂ：
【化１５】
2013520413.tif 000015
の化合物を酸と反応させることを含む方法によって製造される、請求項１１に記載の方法。
【請求項１４】
式ＩＩＩｂの化合物が、式ＩＩｂ：
【化１６】
2013520413.tif 000016
の化合物を、シクロブタノン及び還元剤と反応させることを含む方法によって製造される、請求項１３に記載の方法。
【請求項１５】
前記還元剤がトリアセトキシ水素化ホウ素ナトリウムである、請求項１０又は１４に記載の方法。
【手続補正書】
【提出日】平成26年1月31日(2014.1.31)
【手続補正１】
【補正対象書類名】特許請求の範囲
【補正対象項目名】全文
【補正方法】変更
【補正の内容】
【特許請求の範囲】
【請求項１】
式Ｉ：
【化１】
2013520412.tif 000001
のフォームＩを含んでなる固体形態。
【請求項２】
約１.５４オングストロームの波長を有する放射線を用いて測定したときに、約５.３、約８.５、及び約１８.０°２θから選択される少なくとも１個のピークを含んでなるＸＲＰＤパターンを有する、請求項１に記載の固体形態。
【請求項３】
約１.５４オングストロームの波長を有する放射線を用いて測定したときに、約５.３、約８.５、及び約１８.０°２θにおけるピークを含んでなるＸＲＰＤパターンを有する、請求項１に記載の固体形態
【請求項４】
パターンが約１６.３及び約１９.３°２θにおけるピークを更に含んでなる、請求項２又は３に記載の固体形態。
【請求項５】
パターンが約２０.９、及び約２１.４°２θにおけるピークを更に含んでなる、請求項２〜４のいずれか１項に記載の固体形態。
【請求項６】
約１.５４オングストロームの波長の放射線を用いて測定したときに、次の１０個の位
置：約５.３、約８.５、約１０.６、約１５.５、約１６.３、約１８.０、約１８.４、約１９.３、約２０.９、約２１.４°２θのピークを含んでなるＸＲＰＤパターンを有する、請求項１に記載の固体形態。
【請求項７】
本質的に図１に示されているＸＲＰＤパターンを有する、請求項１に記載の固体形態。
【請求項８】
本質的に図２に示されているＤＳＣサーモグラムを有する、請求項１〜７のいずれか１項に記載の固体形態。
【請求項９】
約１３３.５℃において吸熱を含んでなるＤＳＣサーモグラムを有している、請求項１〜７のいずれか１項に記載の固体形態。
【請求項１０】
本質的に図３に示されているＴＧＡサーモグラムを有する、請求項１〜９のいずれか１項に記載の固体形態。
【請求項１１】
約２０℃〜約１００℃において約１％未満の質量減少を含んでなるＴＧＡサーモグラムを有する、請求項１〜９のいずれか１項に記載の固体形態。
【請求項１２】
実質的に結晶性であり、かつ実質的に純粋である、請求項１〜１１のいずれか１項に記載の固体形態。
【請求項１３】
請求項１〜１２のいずれか１項に記載の固体形態を、製薬学的に許容される担体又は希釈剤と混和して含んでなる、医薬組成物。
【請求項１４】
薬剤として使用するための請求項１〜１２のいずれか１項に記載の固体形態。
【請求項１５】
温血動物における、統合失調症、ナルコレプシー、日中過眠、肥満、注意欠陥多動性障害、疼痛、アルツハイマー病、認知欠損、及び統合失調症関連の認知欠損から選択される障害の治療方法であって、そうした治療を必要とする上記動物に治療的に有効な量の請求項１〜１２のいずれか１項に記載の固体形態を投与することを含んでなる、上記方法。
【請求項１６】
統合失調症、ナルコレプシー、日中過眠、肥満、注意欠陥多動性障害、疼痛、アルツハイマー病、認知欠損、及び統合失調症関連の認知欠損の処置における使用のための請求項１〜１２のいずれか１項に記載の固体形態。
【手続補正書】
【提出日】平成26年2月24日(2014.2.24)
【手続補正１】
【補正対象書類名】特許請求の範囲
【補正対象項目名】全文
【補正方法】変更
【補正の内容】
【特許請求の範囲】
【請求項１】
ヒドロキシブチラートエステルを含むケトン体又はケトン体前駆物質、香味料を含み、及びタンパク質、炭水化物、糖、脂質、繊維質、ビタミン及びミネラルの1つ以上を含んでいてもよい、官能的に許容される組成物であって、ここで前記組成物が凝集により製造される、組成物。
【請求項２】
ケトン体又はケトン体前駆物質が、(R)-3-ヒドロキシブチラート及びその誘導体、(R)-3-ヒドロキシブチラートのエステル、及び(R)-3-ヒドロキシブチラートのオリゴマーから選択される、請求項1に記載の組成物。
【請求項３】
ケトン体又はケトン体前駆物質が3-ヒドロキシブチル-(R)-3-ヒドロキシブチラートを含む、請求項1又は2に記載の組成物。
【請求項４】
官能許容性が苦味香味料により提供又は強化される、請求項1〜3のいずれか1項に記載の組成物。
【請求項５】
i)中鎖トリグリセリド(MCT)及び/又はii)L-カルニチン又はL-カルニチン誘導体をさらに含む、請求項1〜4のいずれか1項に記載の組成物。
【請求項６】
水希釈性の流動性粉末である、請求項1〜5のいずれか1項に記載の組成物。
【請求項７】
治療によりヒト又は動物の体を処置する方法において使用するための、請求項1〜6のいずれか1項に記載の組成物。
【請求項８】
認知機能障害の治療、心臓効率、脳代謝効率の改善若しくは神経変性疾患の効果の減少、又は血中コレステロール、遊離脂肪酸若しくはグルコースの減少において使用するための、請求項7に記載の組成物。
【請求項９】
アルツハイマー病又はパーキンソン病の治療において使用するための、請求項8に記載の組成物。
【請求項１０】
ヒドロキシブチラートエステルを含むケトン体及びケトン体前駆物質から選択される液体成分、香味料の乾燥成分を含み、並びにタンパク質、炭水化物、糖、脂質、繊維質、ビタミン及びミネラルの1つ以上から選択される乾燥成分を含んでいてもよい組成物の製造方法であって、ここで前記製造方法が、乾燥成分と液体成分とを組み合わせ、前記成分を混合し、水希釈性の流動性粉末を生成することを含む、方法。
【手続補正書】
【提出日】平成26年2月10日(2014.2.10)
【手続補正１】
【補正対象書類名】特許請求の範囲
【補正対象項目名】全文
【補正方法】変更
【補正の内容】
【特許請求の範囲】
【請求項１】
血管新生低下及び／もしくは障害を伴う疾患並びに／又は血管新生率増加が治癒過程に有益となる疾患の予防及び／又は治療用ケイ素含有生分解性材料であって、ケイ素含有生分解性材料がポリヒドロキシケイ酸エチルエステル化合物であり、但し、慢性糖尿病性・神経障害性潰瘍、慢性下腿潰瘍、褥瘡、二次治癒感染創、特にアブレーションによる裂傷又は擦過傷等の非炎症性一次治癒創等の創傷は除外する、前記ケイ素含有生分解性材料。
【請求項２】
ａ）テトラエトキシシランの加水分解・縮合反応を少なくとも１回実施する工程と、
ｂ）好ましくは反応系を穏和に混合しながら蒸発させて単相溶液を生成する工程と、
ｃ）単相溶液を冷却する工程と、
ｄ）熟成させてシリカゾル材料を生成する工程と、
ｅ）シリカゾル材料から紡糸して繊維もしくは繊維マトリックスを生成する工程、及び／又はシリカゾル材料を乾燥、特に噴霧乾燥もしくは凍結乾燥して粉末を生成し、場合により粉末を溶媒に溶解して液体製剤を生成する工程、及び／又はケイ素含有生分解性材料で被覆しようとする対象物をシリカゾル材料で被覆する工程、及び／又はシリカゾル材料を注型してモノリスを生成する工程
により製造された請求項１に記載のケイ素含有生分解性材料。
【請求項３】
血管新生低下及び／もしくは障害を伴う疾患並びに／又は血管新生率増加が治癒過程に有益となる疾患が、
ａ）貧血、狭心症、（末梢）動脈閉塞症、動脈硬化症、バージャー病、心筋梗塞、特に心筋、肺の虚血、心筋症、鬱血性心不全、冠動脈再狭窄等の冠動脈疾患、遺伝性出血性毛細血管拡張症、高コレステロール血症、虚血性心疾患、心筋性強皮症、血管内膜肥厚、血管閉塞、動脈硬化性末梢血管疾患、門脈圧亢進症、子癇前症、リウマチ性心疾患、高血圧、血栓塞栓症等の血液循環及び／又は心臓血管系疾患、
ｂ）骨／軟骨修復、骨欠損、骨折、骨成長、軟骨疾患、椎間板変性、変形性関節症、骨粗鬆症、脊髄骨折、線維筋痛症、多発性筋炎等の骨、軟骨又は筋肉に関連する疾患、
ｃ）中枢神経系又は末梢神経系の虚血、アルツハイマー病、筋萎縮性側索硬化症、自律神経性ニューロパチー、動脈瘤、脳梗塞、脳卒中、脳血管疾患、脳血管低潅流、痴呆、癲癇、虚血性末梢性ニューロパチー、軽症認知障害、多発性硬化症、神経損傷、パーキンソン病、ニーマン・ピック病、多発ニューロパチー、統合失調症、脊髄損傷、中毒性ニューロパチー等の中枢神経系疾患、
ｄ）緑内障、網膜症等の眼疾患、
ｅ）クローン病、胃潰瘍、腸虚血、過敏性腸症候群、膵炎、潰瘍性大腸炎等の胃腸疾患、
ｆ）糖尿病、糖尿病性足病変、糖尿病性末梢血管疾患等のホルモン又は代謝疾患、
ｇ）アレルギー、肥満細胞症、シェーグレン病、移植片拒絶反応、膠原病におけるシェーグレン症候群等の組織欠損、皮膚筋炎、全身性エリテマトーデス、クレスト症候群、シャープ症候群等の免疫系疾患、
ｈ）敗血症性ショック等の感染症、
ｉ）腎症、頭蓋内圧亢進、腎虚血等の腎疾患、
ｊ）歯垢、歯周病等の口腔疾患、
ｋ）勃起不全等の生殖器系疾患、
ｌ）喘息、気管支肺異形成症、肺炎、呼吸窮迫症候群等の呼吸器疾患、
ｍ）非特異性皮膚炎、褥瘡性潰瘍、皮膚虚血、皮膚潰瘍、糖尿病性壊疽、糖尿病性皮膚潰瘍、裂傷、疥癬、強皮症、皮膚損傷、熱傷、手術創、創傷治癒等の皮膚疾患、
ｎ）血管不全、血管再狭窄、血管炎、血管痙攣、ウェゲナー肉芽腫症等の血管疾患、
ｏ）脱毛症、乳酸アシドーシス、四肢虚血、肝硬変、肝虚血、ミトコンドリア脳筋症、サルコイドーシス、軟部組織欠損、組織及び／又は臓器の自家移植片で治療される疾患等の他の疾患
から構成される群から選択される請求項１から２のいずれか一項に記載の血管新生低下及び／もしくは障害を伴う疾患並びに／又は血管新生率増加が治癒過程に有益となる疾患の予防及び／又は治療用ケイ素含有生分解性材料。
【手続補正書】
【提出日】平成26年3月27日(2014.3.27)
【手続補正１】
【補正対象書類名】特許請求の範囲
【補正対象項目名】全文
【補正方法】変更
【補正の内容】
【特許請求の範囲】
【請求項１】
カラゲナンと混合された吸着剤を、ペレットの形態で含む組成物。
【請求項２】
吸着剤が活性炭である、請求項１記載の組成物。
【請求項３】
カラゲナンがκ−カラゲナンである、請求項１または２記載の組成物。
【請求項４】
カラゲナンの量が、組成物の５重量％から２５重量％の間に含まれる、請求項１〜３のいずれか一項記載の組成物。
【請求項５】
カラゲナンの量が、組成物の１０重量％から２０重量％の間に含まれる、請求項１〜４のいずれか一項記載の組成物。
【請求項６】
−  請求項１〜５のいずれか一項記載の組成物を含有するコア、および
−  吸着剤が腸管の所望の部分で製剤から放出されるように、該コアの周囲に形成された外部コーティング層
を含む製剤。
【請求項７】
吸着剤が下部腸管中で製剤から放出される、請求項６記載の製剤。
【請求項８】
外部コーティングが、セルロースアセテートトリメリテート（ＣＡＴ）、セルロースアセテートフタレート（ＣＡＰ）、アクリル酸メチル、メタクリル酸メチルおよびメタクリル酸ベースの陰イオン性コポリマー、ヒドロキシプロピルメチルセルロースフタレート（ＨＰＭＣＰ）、ヒドロキシプロピルメチルセルロースアセテートスクシネート（ＨＰＭＣＡＳ）、メタクリル酸−アクリル酸エチルコポリマー、メタクリル酸−アクリル酸エチルコポリマー、メタクリル酸−メタクリル酸メチルコポリマー（１：１の比）、メタクリル酸−メタクリル酸メチルコポリマー（１：２の比）、ポリビニルアセテートフタレート（ＰＶＡＰ）ならびにシェラック樹脂から成る群より選択されるｐＨ依存性腸溶性ポリマーである、請求項６または７記載の製剤。
【請求項９】
ポリマーが、６．０以上のｐＨで溶解し、そして、
ｐＨ依存性ポリマーが、
−  シェラック、
−  ヒドロキシプロピルメチルセルロースアセテートスクシネート
−  ヒドロキシプロピルメチルセルロースフタレート
−  アクリル酸メチル、メタクリル酸メチルおよびメタクリル酸ベースの陰イオン性コポリマー、ならびに
−メタクリル酸−メタクリル酸メチルコポリマー（１：２の比）
から成る群より選択される、請求項８記載の製剤。
【請求項１０】
外部コーティングが、メタクリル酸メチル−メタクリル酸と、メタクリル酸−アクリル酸エチルコポリマーの９９：１から８０：２０の間に含まれる比の混合物である、請求項６または７記載の製剤。
【請求項１１】
さらなるコーティングが、コアと外部ｐＨ依存性層の間に提供され、該さらなるコーティングが、
−  シェラック型ポリマー、アクリル酸メチル、メタクリル酸メチルおよびメタクリル酸ベースの陰イオン性コポリマー、メタクリル酸−アクリル酸エチルコポリマー、ヒドロキシプロピルメチルセルロースフタレート（ＨＰＭＣＰ）、ヒドロキシプロピルメチルセルロースアセテートスクシネート（ＨＰＭＣＡＳ）を包含するｐＨ依存性ポリマー、
−  ＰＶＰまたはヒドロキシプロピルメチルセルロース（ＨＰＭＣ）もしくはヒドロキシプロピルセルロース（ＨＰＣ）などの高分子量セルロースポリマーを包含するｐＨ非依存性水溶性ポリマー、
−  エチルセルロースポリマーまたはアクリル酸エチル−メタクリル酸メチルコポリマーを包含するｐＨ非依存性不溶性ポリマー、ならびに
−  ｐＨ依存性ポリマーと、エチルセルロースまたはアクリル酸エチル−メタクリル酸メチルコポリマー（NE30D）を包含する水不溶性ｐＨ非依存性ポリマーの混合物
から成る群より選択される、請求項６〜１０のいずれか一項記載の製剤。
【請求項１２】
ｐＨ非依存的に溶解するポリマー層が、ヒドロキシプロピルセルロースまたはエチルセルロースから成る群より選択される少なくとも１種のセルロース誘導体を含むか、またはメタクリル酸−アクリル酸エチルコポリマーとアクリル酸エチル−メタクリル酸メチルコポリマーの１：９〜９：１の混合物から作られる、請求項１１記載の製剤。
【請求項１３】
障害のための処置として投与される医薬品であって、該医薬品またはその代謝物もしくは誘導体が下部回腸、盲腸または結腸に到達すると副作用を有する該医薬品の腸管における副作用を除去または軽減するための方法に使用するための、請求項６〜１２のいずれか一項記載の製剤。
【請求項１４】
抗生剤の抗生物質関連有害作用を除去もしくは軽減するための、または下痢を除去もしくは軽減するための方法に使用するための、請求項１３記載の製剤。
【請求項１５】
抗生物質耐性の出現を除去または軽減するための、請求項１４記載の製剤。
【請求項１６】
抗生物質および製剤が経口経路によって同時投与される、請求項１４または１５記載の製剤。
【請求項１７】
医薬品が、イリノテカンを包含するトポイソメラーゼＩ阻害剤を包含する抗腫瘍剤、ジアセレインを包含する抗炎症化合物またはインターロイキン１阻害剤、パンクレリパーゼ、ロフルミラストまたはシロミラストを包含する慢性閉塞性肺疾患（ＣＯＰＤ）の処置に使用される選択的ホスホジエステラーゼ４阻害剤、ならびにコルヒチン、イリノテカンまたはその代謝物を包含する抗炎症活性および抗有糸分裂活性を有する化合物から成る群より選択される、請求項１３記載の製剤。
【請求項１８】
マイコトキシン、エンドトキシンもしくはエンテロトキシンを包含する細菌もしくは真菌毒素、または腸管内でClostridium difficileによって産生される毒素の作用を、それらが結腸に到達する前に除去するための方法に使用するための、
慢性腎疾患（ＣＫＤ）、炎症性腸疾患（ＩＢＤ）、潰瘍性大腸炎、クローン病、および肝性脳症から成る群より選択される疾患を処置するための方法に使用するための、または
下部腸管におけるＡＧＥ、フェノール（ｐ−クレシルスルフェートを包含する）、インドール（インドキシルスルフェートを包含する）、一酸化窒素、酸素ラジカル、プロスタグランジン、ロイコトリエン、ヒスタミン、プロテアーゼ、マトリックスメタロプロテイナーゼまたはアンモニアを包含する窒素化合物の量を除去または減少させるための方法に使用するための、請求項６〜１２のいずれか一項記載の製剤。
【請求項１９】
ペットまたは農用動物における鼓腸、便臭、口臭または食物不耐性を軽減するための、請求項６〜１２のいずれか一項記載の製剤の使用。
【手続補正書】
【提出日】平成26年2月20日(2014.2.20)
【手続補正１】
【補正対象書類名】特許請求の範囲
【補正対象項目名】全文
【補正方法】変更
【補正の内容】
【特許請求の範囲】
【請求項１】
有効量の上皮膜タンパク質２（ＥＭＰ２）阻害剤を含む、湿性加齢性黄斑変性（ＡＭＤ）を治療するための医薬組成物。
【請求項２】
前記ＥＭＰ２阻害剤が抗−ＥＭＰ２抗体である、請求項１に記載の医薬組成物。
【請求項３】
前記ＥＭＰ２阻害剤がＥＭＰ２ｓｉ−ＲＮＡである、請求項１に記載の医薬組成物。
【請求項４】
眼内経路でまたは局所的に投与される、請求項１に記載の医薬組成物。
【請求項５】
眼内経路で投与される、請求項４に記載の医薬組成物。
【請求項６】
有効量のＥＭＰ２阻害剤を含む、患者の眼の病気を治療するための医薬組成物。
【請求項７】
前記眼の病気が、糖尿病網膜症、角膜血管新生、脈絡膜血管新生、毛様体炎、ヒッペル−リンダウ病、未熟児網膜症、翼状片、ヒストプラズマ症、虹彩血管新生、黄斑浮腫、緑内障関連の血管新生およびプルチャー網膜症である、請求項６に記載の医薬組成物。
【請求項８】
有効量の上皮膜タンパク質２（ＥＭＰ２）阻害剤を含む、眼の血管内皮成長因子（ＶＥＧＦ）の発現を抑制するための医薬組成物。
【請求項９】
前記ＥＭＰ２阻害剤が抗−ＥＭＰ２抗体である、請求項８に記載の医薬組成物。
【請求項１０】
前記抗−ＥＭＰ２抗体が重鎖および軽鎖を含み、前記重鎖は３つの相補的決定領域（ＣＤＲ）：ＨＣＤＲ１、ＨＣＤＲ２およびＨＣＤＲ３を含み、前記軽鎖は３つのＣＤＲ：ＬＣＤＲ１、ＬＣＤＲ２およびＬＣＤＲ３を含み、ＨＣＤＲ１は配列番号８を含み、ＨＣＤＲ２は配列番号９を含み、ＨＣＤＲ３は配列番号１０を含み、ＬＣＤＲ１は配列番号１２を含み、ＬＣＤＲ２は配列番号１３を含み、ＬＣＤＲ３は配列番号１４を含む、請求項２または９に記載の医薬組成物。
【請求項１１】
前記抗体が二重特異性抗体である、請求項１０に記載の医薬組成物。
【請求項１２】
前記ＥＭＰ２阻害剤がＥＭＰ２ｓｉ−ＲＮＡである、請求項３または８に記載の医薬組成物。
【請求項１３】
前記ＥＭＰ２ｓｉ−ＲＮＡが標的配列を含み、前記標的配列が配列番号３、配列番号４、配列番号５または配列番号６を含む、請求項１２に記載の医薬組成物。
【請求項１４】
前記ＥＭＰ２ｓｉ−ＲＮＡが、配列番号３、配列番号４、配列番号５および配列番号６からなる群から選択される標的配列を含む、請求項１２に記載の医薬組成物。
【請求項１５】
有効量の少なくとも２種の上皮膜タンパク質２（ＥＭＰ２）阻害剤を含む、湿性加齢性黄斑変性（ＡＭＤ）を治療するための医薬組成物。
【請求項１６】
前記少なくとも２種のＥＭＰ２阻害剤の一種が抗−ＥＭＰ２抗体であり、かつ前記少なくとも２種のＥＭＰ２阻害剤の一種がＥＭＰ２ｓｉ−ＲＮＡである、請求項１５に記載の医薬組成物。
【手続補正書】
【提出日】平成26年2月20日(2014.2.20)
【手続補正１】
【補正対象書類名】特許請求の範囲
【補正対象項目名】全文
【補正方法】変更
【補正の内容】
【特許請求の範囲】
【請求項１】
（ｉ）被験体の口腔組織の炎症を最低限に抑えるための抗炎症剤、及び
（ｉｉ）微生物及びそれらの断片を被験体の口腔組織から除去するための抗菌剤
から選択される作用物質を投与したか又は投与中の被験体の口腔組織中のポルフィロモナス・ジンジバリスの存在に関連付けられる疾患若しくは状態を処置するために使用される、ポルフィロモナス・ジンジバリスに対して免疫応答を誘導する免疫原を含む薬剤。
【請求項２】
被験体の口腔組織の炎症を最低限に抑えるための抗炎症剤、及び
微生物及びそれらの断片を被験体の口腔組織から除去するための抗菌剤
から選択される作用物質を投与したか又は投与中の被験体の口腔組織中のポルフィロモナス・ジンジバリスの存在に関連付けられる疾患若しくは状態を処置するために使用されるポルフィロモナス・ジンジバリスに対して免疫応答を誘導する免疫原。
【請求項３】
前記免疫原を、前記作用物質と同時に投与する、請求項１又は２に記載の薬剤又は免疫原。
【請求項４】
前記免疫原を、前記作用物質の後に投与する、請求項１又は２に記載の薬剤又は免疫原。
【請求項５】
前記免疫原を、前記作用物質の１週間〜２週間後に投与する、請求項１、２又は４に記載の薬剤又は免疫原。
【請求項６】
被験体の口腔組織中のポルフィロモナス・ジンジバリスの存在に関連付けられる疾患又は状態を処置することにおける使用のための組成物であって、
（ｉ）ポルフィロモナス・ジンジバリスに対して免疫応答を誘導する免疫原と
（ｉｉ）被験体の口腔組織の炎症を最低限に抑えるための抗炎症剤、及び
微生物及びそれらの断片を被験体の口腔組織から除去するための抗菌剤
から選択される作用物質と、
を含む組成物。
【請求項７】
被験体の口腔組織中のポルフィロモナス・ジンジバリスの存在に関連付けられる疾患又は状態を処置することにおける使用のためのキットであって、
（ｉ）ポルフィロモナス・ジンジバリスに対して免疫応答を誘導する免疫原を含む組成物と
（ｉｉ）被験体の口腔組織の炎症を最低限に抑えるための抗炎症剤、及び
微生物及びそれらの断片を被験体の口腔組織から除去するための抗菌剤
から選択される作用物質を含む組成物と、
を含むキット。
【請求項８】
前記作用物質が抗炎症剤である、請求項１〜７のいずれか一項に記載の薬剤、免疫原、組成物又はキット。
【請求項９】
前記作用物質が抗菌剤である、請求項１〜７のいずれか一項に記載の薬剤、免疫原、組成物又はキット。
【請求項１０】
前記抗菌剤が、フマル酸還元酵素の阻害剤である、請求項９に記載の薬剤、免疫原、組成物又はキット。
【請求項１１】
前記抗菌剤が、オキサンテル、モランテル又はチアベンダゾールから選択される、請求項９に記載の薬剤、免疫原、組成物又はキット。
【請求項１２】
前記免疫原が、ポルフィロモナス・ジンジバリス細胞、それに由来する断片、代謝産物又は組換え産物である、請求項１〜１１のいずれか一項に記載の薬剤、免疫原、組成物又はキット。
【請求項１３】
ポルフィロモナス・ジンジバリスに由来する前記組換え産物が、キメラタンパク質又は融合タンパク質である、請求項１２に記載の薬剤、免疫原、組成物又はキット。
【請求項１４】
前記キメラタンパク質又は融合タンパク質がＫＡＳ１−ＫｓＡ１及びＫＡＳ２−ＫＬＡ１から選択される請求項１３に記載の薬剤、免疫原、組成物又はキット。
【請求項１５】
前記免疫原及び前記作用物質のうちの少なくとも一方が全身投与される、請求項１〜１２のいずれか一項に記載の薬剤、免疫原、組成物又はキット。
【請求項１６】
前記免疫原及び前記作用物質のうちの少なくとも一方が、口腔組織へ直接的に投与される、請求項１〜１４のいずれか一項に記載の薬剤、免疫原、組成物又はキット。
【請求項１７】
前記免疫原及び前記作用物質のうちの少なくとも一方が、口腔粘膜へ直接的に投与される、請求項１６に記載の薬剤、免疫原、組成物又はキット。
【請求項１８】
前記処置することが、歯科的処置をさらに含む請求項１〜１７のいずれか一項に記載の薬剤、免疫原、組成物又はキット。
【請求項１９】
前記歯科的処置が、創面切除、歯石除去及び根面平滑化のうちの１つ又は複数を含む、請求項１８に記載の薬剤、免疫原、組成物又はキット。
【請求項２０】
被験体の口腔組織の炎症を最低限に抑えるための抗炎症剤、及び
）微生物及びそれらの断片を被験体の口腔組織から除去するための抗菌剤
から選択される作用物質を投与したか又は投与中の被験体の口腔組織中のポルフィロモナス・ジンジバリスの存在に関連付けられる疾患若しくは状態の発生率又は重篤性を低減させるための組成物であって、ポルフィロモナス・ジンジバリスに対して免疫応答を誘導する免疫原を含む組成物。
【請求項２１】
前記免疫原を、前記作用物質と同時に投与する、請求項２０に記載の組成物。
【請求項２２】
前記免疫原を、前記作用物質の後に投与する、請求項２１に記載の組成物。
【請求項２３】
前記免疫原を、前記作用物質の１週間〜２週間後に投与する、請求項２０又は２２に記載の組成物。
【請求項２４】
前記免疫原を、被験者の口腔組織が炎症を起こしていないときに投与する、請求項２０〜２３のいずれか一項に記載の組成物。
【請求項２５】
前記免疫原はＴｈ２応答が優性な抗体応答を誘導する、請求項２０〜２４のいずれか一項に記載の組成物。
【請求項２６】
前記被験者は前記組成物の投与前に歯科的処置を受けている、請求項２０〜２５のいずれか一項に記載の組成物。
【請求項２７】
前記歯科的処置が、創面切除、歯石除去及び根面平滑化のうちの１つ又は複数を含む、請求項２６に記載の組成物。
【請求項２８】
前記疾患若しくは状態が、ポルフィロモナス・ジンジバリス感染に関連する、請求項２０〜２７のいずれか一項に記載の組成物。
【手続補正書】
【提出日】平成26年2月18日(2014.2.18)
【手続補正１】
【補正対象書類名】特許請求の範囲
【補正対象項目名】全文
【補正方法】変更
【補正の内容】
【特許請求の範囲】
【請求項１】
脱毛を治療もしくは予防し、および／または毛の成長を促進し、および／または毛の成長を増強するのに有効な、ある量のミッドカインファミリーのタンパク質および局所用のキャリヤー、賦形剤または皮膚軟化剤を含む、局所配合物。
【請求項２】
配合物が、脱毛しやすいかまたは脱毛のリスクをもつ対象の真皮または皮膚に投与するためのものである、請求項１に記載の局所配合物。
【請求項３】
配合物が、脱毛を伴う対象の真皮または皮膚に投与するためのものである、請求項１に記載の局所配合物。
【請求項４】
配合物が、脱毛症の治療または予防のためのものである、請求項１に記載の局所配合物。
【請求項５】
脱毛症が急性型の脱毛症である、請求項４に記載の局所配合物。
【請求項６】
配合物が、細胞傷害性作用物もしくは細胞増殖抑制作用物による処置を受けているかまたは細胞傷害性作用物もしくは細胞増殖抑制作用物による処置を処方された対象における脱毛症の治療または予防のためのものである、請求項４に記載の局所配合物。
【請求項７】
脱毛症が男性ホルモン型脱毛症である、請求項４に記載の局所配合物。
【請求項８】
ミッドカインファミリーのタンパク質が、ミッドカイン、プレイオトロフィン、ミッドカイン様タンパク質、またはトランケート型ミッドカインタンパク質である、請求項１〜７のいずれか１項に記載の局所配合物。
【請求項９】
ミッドカインファミリーのタンパク質がプレイオトロフィンである、請求項１〜７のいずれか１項に記載の局所配合物。
【請求項１０】
ミッドカインファミリーのタンパク質がミッドカインである、請求項１〜７のいずれか１項に記載の局所配合物。
【請求項１１】
ヒトまたは他の哺乳動物対象の脱毛症の治療または予防のための医薬の製造における、ミッドカインファミリーのタンパク質の使用。
【請求項１２】
医薬が局所適用のための配合物である、請求項１１に記載の使用。
【請求項１３】
脱毛症が急性型の脱毛症である、請求項１１または１２に記載の使用。
【請求項１４】
急性脱毛症が細胞傷害性作用物もしくは細胞増殖抑制作用物による処置により誘発され得る、請求項１３に記載の使用。
【請求項１５】
ヒトまたは他の哺乳動物対象が、細胞傷害性作用物もしくは細胞増殖抑制作用物による処置を受けているかまたは細胞傷害性作用物もしくは細胞増殖抑制作用物による処置を処方された対象である、請求項１１に記載の使用。
【請求項１６】
ミッドカインファミリーのタンパク質が、ミッドカイン、プレイオトロフィン、ミッドカイン様タンパク質、またはトランケート型ミッドカインタンパク質である、請求項１１〜１５のいずれか１項に記載の使用。
【請求項１７】
ミッドカインファミリーのタンパク質がプレイオトロフィンである、請求項１１〜１５のいずれか１項に記載の使用。
【請求項１８】
ミッドカインファミリーのタンパク質がミッドカインである、請求項１１〜１５のいずれか１項に記載の使用。
【請求項１９】
脱毛を治療または予防する方法であって、その必要がある対象に、対象において脱毛を予防し、および／または毛の成長を促進し、および／または毛の成長を増強するのに有効な、量のミッドカインファミリーのタンパク質およびキャリヤー、賦形剤または皮膚軟化剤を含む配合物を投与することを含む方法。
【請求項２０】
脱毛を伴う対象において毛の成長または毛のイニシエーションを促進または増強する方法であって、対象において脱毛を予防し、および／または毛の成長を促進し、および／または毛の成長を増強するのに有効な、量のミッドカインファミリーのタンパク質および局所用のキャリヤー、賦形剤または皮膚軟化剤を含む局所配合物を、対象に投与することを含む方法。
【請求項２１】
化学療法を受けているかまたは化学療法を処方された対象において脱毛を軽減する方法であって、対象に、ある量のミッドカインファミリーのタンパク質およびキャリヤー、賦形剤または皮膚軟化剤を含む配合物を、化学療法による脱毛を予防または軽減するのに十分な期間および条件下で投与することを含む方法。
【請求項２２】
脱毛を予防する、および／または毛の成長を促進する、および／または毛の成長を増強する化合物を同定または単離する方法であって、１歳より高齢であり、かつ脱毛を伴っており、かつミッドカインタンパク質をコードする１つの対立遺伝子およびその遺伝子の他の１つの機能性対立遺伝子がノックアウトされているマウスに、被験化合物を投与し、次いでそのマウスにおいて毛の成長および／または脱毛の軽減を測定することを含み、その際、そのマウスにおける被験化合物の不存在下と比較した被験化合物の存在下での脱毛の軽減および／または毛の成長の増大および／または毛の成長のイニシエーションは、被験化合物が脱毛を予防し、および／または毛の成長を促進し、および／または毛の成長を増強することの指標となる方法。
【手続補正書】
【提出日】平成26年1月27日(2014.1.27)
【手続補正１】
【補正対象書類名】特許請求の範囲
【補正対象項目名】全文
【補正方法】変更
【補正の内容】
【特許請求の範囲】
【請求項１】
下記式（Ｉ）の化合物又はその薬学上許容される塩：
【化１】
2013520443.tif 000001
（式中、
Ｒ１は、置換又は未置換の６員のアリール環又はヘテロアリール環であって、隣接する置換基が一緒になって、更に置換されていてもよい５員環又は６員環を形成してもよく、これらの環が０〜３個のヘテロ原子及び０〜２個の二重結合を含み、
各Ｒ３は、独立して、ハロゲン、Ｃ１−６アルキル、ヒドロキシル、及びアルコキシからなる群より選択され、
Ｒ４は、Ｈ又はＣ１−６アルキルであり、
Ｒ５は、Ｃ１−６アルキル、Ｃ３−７シクロアルキル、−ＯＣ１−６アルキル、Ｃ４−６ヘテロシクロアルキル、アミノ及びアルキルアミノからなる群より選択され、  ｍは、０〜３であり、ｎは、０〜１である）。
【請求項２】
前記化合物が、下記式（Ｉ）（Ａ）により表される、式（Ｉ）の化合物：
【化２】
2013520443.tif 000002
。
【請求項３】
前記化合物が、下記式（Ｉ）（Ｂ）により表される、式（Ｉ）の化合物：
【化３】
2013520443.tif 000003
。
【請求項４】
Ｒ１が、置換又は未置換の６員のアリール環であって、隣接する置換基が一緒になって、更に置換されていてもよい５員環又は６員環を形成してもよく、これらの環が０〜３個のヘテロ原子及び０〜２個の二重結合を含む、請求項１〜３のいずれか一項に記載の化合物、又はその薬学上許容される塩類。
【請求項５】
Ｒ１が、置換又は未置換の６員のヘテロアリール環であって、隣接する置換基が一緒になって、更に置換されていてもよい５員環又は６員環を形成してもよく、これらの環が０〜３個のヘテロ原子及び０〜２個の二重結合を含む、請求項１〜３のいずれか一項に記載の化合物、又はその薬学上許容される塩。
【請求項６】
Ｒ１が、ベンズイミダゾール、インドール、ベンゾフラン、ジヒドロベンゾフラン、ジヒドロインドール、イミダゾピリジン、キノリン、アザインドール、イソキノリン、イソキノロン、キナゾリン、ナフタレン、ジヒドロインデン、インデン、及びインダゾールからなる群より選択される、置換されていてもよい二環式環である、請求項１〜５のいずれか一項に記載の化合物、又はその薬学上許容される塩類、又はその薬学上許容される塩。
【請求項７】
Ｒ３が、フルオロ、クロロ、ヒドロキシル、メトキシ、又はメチルであり、ｍが０〜１である、請求項１〜５のいずれか一項に記載の化合物、又はその薬学上許容される塩類。
【請求項８】
Ｒ５が、シクロプロピル、エチル、メチル、又はイソプロピルである、請求項１〜７のいずれか一項に記載の化合物、又はその薬学上許容される塩。
【請求項９】
Ｒ５が、シクロプロピルである、請求項１〜７のいずれか一項に記載の化合物。
【請求項１０】
Ｒ１が、置換又は未置換のピリジン又はピリミジンであって、隣接する置換基が一緒になって、更に置換されていてもよい５員環又は６員環を形成してもよく、これらの環が０〜３個のヘテロ原子及び０〜２個の二重結合を含む、請求項４に記載の化合物、又はその薬学上許容される塩類。
【請求項１１】
Ｒ４が、Ｈである、請求項１〜７のいずれか一項に記載の化合物、又はその薬学上許容される塩類。
【請求項１２】
Ｒ１が、請求項５に記載の未置換の二環式環である、請求項６に記載の化合物、又はその薬学上許容される塩類。
【請求項１３】
請求項１〜１２のいずれか一項に記載の化合物を含んでなる、医薬組成物。
【請求項１４】
薬学上許容される担体を更に含む、請求項１３に記載の医薬組成物。
【請求項１５】
癌治療に用いるための、請求項１３または１４に記載の医薬組成物。
【請求項１６】
前記癌が、脳癌（神経膠腫）、膠芽腫、白血病、Ｂａｎｎａｙａｎ−Ｚｏｎａｎａ症候群、カウデン病、レルミット−デュクロス病(Lhermitte-Duclos disease)、乳癌、炎症性乳癌、ウィルムス腫瘍、ユーイング肉腫、横紋筋肉腫、脳室上衣腫、髄芽細胞腫、結腸癌、頭頸部癌、腎臓癌、肺癌、肝臓癌、黒色腫、腎臓癌、卵巣癌、膵臓癌、前立腺癌、肉腫、骨肉腫、骨巨細胞腫、及び甲状腺癌からなる群から選択される、請求項１５に記載の医薬組成物。
【手続補正書】
【提出日】平成25年11月28日(2013.11.28)
【手続補正１】
【補正対象書類名】特許請求の範囲
【補正対象項目名】全文
【補正方法】変更
【補正の内容】
【特許請求の範囲】
【請求項１】
フィブロネクチンＩＩＩ型第１０（１０Ｆｎ３）ドメインを含むポリペプチドであって、ここに該１０Ｆｎ３ドメインは、ヒト１０Ｆｎ３ドメインの対応するループの配列と比較してアミノ酸配列が変化したループＢＣ、ＤＥおよびＦＧから選択される少なくとも１つのループを有し、該ポリペプチドは５００ｎＭ未満のＫｄでＩＬ−２３のｐ１９サブユニットに結合する、ポリペプチド。
【請求項２】
フィブロネクチンＩＩＩ型第１０（１０Ｆｎ３）ドメインを含むポリペプチドであって、ここに該１０Ｆｎ３ドメインは、ヒト１０Ｆｎ３ドメインの対応するループの配列と比較してアミノ酸配列が変化したループＢＣ、ＤＥおよびＦＧから選択される少なくとも１つのループを有し、該ポリペプチドはＩＬ−２３のｐ１９サブユニットの構造的エピトープに結合する、ポリペプチド。
【請求項３】
ＢＣループが配列番号２〜６から選択される、請求項１または２に記載のポリペプチド。
【請求項４】
ＤＥループが配列番号７〜４８から選択される、請求項１または２に記載のポリペプチド。
【請求項５】
ＦＧループが配列番号４９〜５９から選択される、請求項１または２に記載のポリペプチド。
【請求項６】
ＢＣ、ＤＥまたはＦＧループのアミノ酸配列が、配列番号２〜５９のいずれか一つと少なくとも８０％同一である、請求項１または２に記載のポリペプチド。
【請求項７】
ポリペプチドのアミノ酸配列が、配列番号６０〜１００のいずれか一つと少なくとも９０％同一である、請求項１または２に記載のポリペプチド。
【請求項８】
ポリペプチドのアミノ酸配列が、配列番号６０〜１００のアミノ酸３〜９６と少なくとも９０％同一である、請求項１または２に記載のポリペプチド。
【請求項９】
ＢＣループの配列モチーフが、Ｘ１がメチオニンまたはロイシンのいずれかであり、Ｘ２がイソロイシンまたはバリンのいずれかである、配列番号２５７で示されるＧＨＹＰＸ１ＨＸ２である、請求項１または２に記載のポリペプチド。
【請求項１０】
ＦＧループの配列モチーフが、Ｘ３が任意のアミノ酸であり得る、配列番号２５８で示されるＹＹＸ３Ｘ３Ｘ３Ｘ３ＹＸ３Ｘ３Ｉである、請求項１または２に記載のポリペプチド。
【請求項１１】
ポリエチレングリコール、シアル酸、Ｆｃ、Ｆｃ断片、トランスフェリン、血清アルブミン、血清アルブミン結合タンパク質および血清免疫グロブリン結合タンパク質からなる群から選択される一以上の薬物動態（ＰＫ）部分をさらに含む、請求項１または２に記載のポリペプチド。
【請求項１２】
ＰＫ部分がポリエチレングリコールである、請求項１１に記載のポリペプチド。
【請求項１３】
システインリンカーをさらに含む、請求項１または２に記載のポリペプチド。
【請求項１４】
システインリンカーが、配列番号１０１に示されるアミノ酸ＧＳＧＣおよび配列番号１０２に示されるアミノ酸ＥＩＤＫＰＣＱからなる群から選択される、請求項１３に記載のポリペプチド。
【請求項１５】
組成物が本質的にエンドトキシンを含まない、請求項１〜１４のいずれか一項に記載のポリペプチドを含む医薬上許容される組成物。
【請求項１６】
内因性ＩＬ−２３のＴｈ１７細胞との反応を干渉するために効果的な量で、ＩＬ−２３と請求項１〜１４のいずれか一項に記載のポリペプチドを接触させることを含む、Ｔｈ１７細胞の病原性をインビトロで調節する方法。